(57)【要約】本発明のパーソナルコンピューター用コンピュータースクリーンは、メインスクリーンと、１または複数の格納式サブディスプレーと、１または複数の格納式アームを含む。メインスクリーンは、メインディスプレーと、メインディスプレーの裏側に配置されたドッキングスペースを持つ。格納式サブディスプレーは、メインディスプレーのドッキングスペースに押し込み、あるいはそこから引き出すことができるように設けられている。メインスクリーンのドッキングスペースに配置された格納式アームは、格納式サブディスプレーを支持し、格納式サブディスプレーをドッキングスペースに引き込み、格納式サブディスプレーをドッキングスペースから押し出すためのものである。メインディスプレーは、格納式サブディスプレーと協調してパーソナルコンピューターからの視覚情報を表示する。
2009534708.tif 000002
【特許請求の範囲】
【請求項１】
ａ）メインディスプレーと前記メインディスプレーの裏側に配置されたドッキングスペースとを有するメインスクリーンと、
ｂ）前記メインスクリーンの前記ドッキングスペースに押し込み、そこから引き出すよう適合された１または複数の格納式サブディスプレーと、
ｃ）それぞれ１の関節ジョイントを含み、前記メインディスプレーの前記ドッキングスペース内に配置され、前記格納式サブディスプレーを支持するためのものであり、前記格納式サブディスプレーを前記ドッキングスペースに引き込むためのものであり、前記格納式サブディスプレーを前記ドッキングスペースから押し出すためのものである、１または複数の格納式アームと
を含み、前記メインディスプレーは前記格納式サブディスプレーと協働して前記パーソナルコンピューターからの映像情報を表示する、パーソナルコンピューター用コンピュータースクリーン。
【請求項２】
前記メインディスプレーがＬＣＤディスプレーを含み、前記格納式サブディスプレーがＬＣＤディスプレーを含む、請求項１に記載のコンピュータースクリーン。
【請求項３】
前記格納式サブディスプレーが前記メインディスプレーの左側面に配置される第１格納式サブディスプレーを含む、請求項１に記載のコンピュータースクリーン。
【請求項４】
前記格納式サブディスプレーがさらに前記メインディスプレーの右側面に配置される第２格納式サブディスプレーを含む、請求項３に記載のコンピュータースクリーン。
【請求項５】
前記格納式サブディスプレーがさらに前記メインディスプレー上面に配置される第３格納式サブディスプレーを含む、請求項３に記載のコンピュータースクリーン。
【請求項６】
前記格納式サブディスプレーが
ａ）前記メインディスプレーの左側面に配置される第１格納式サブディスプレーと、
ｂ）前記メインディスプレーの右側面に配置される第２格納式サブディスプレーと
を含む、請求項１に記載のコンピュータースクリーン。
【請求項７】
前記格納式サブディスプレーが前記メインディスプレーの上面に配置される第３格納式サブディスプレーをさらに含む、請求項６に記載のコンピュータースクリーン。
【請求項８】
前記格納式アームが
ａ）前記メインスクリーンの前記ドッキングスペースの内側に前記格納式アームを接続させる第１接続部と、
ｂ）前記メインスクリーンの前記ドッキングスペースに前記格納式ディスプレーを出入りさせる伸縮部と、
ｃ）前記格納式サブディスプレーを前記格納式アームに接続させる第２接続部と
を含み、前記関節ジョイントが前記伸縮部と前記第２接続部の間に配置されることによって、前後方向に前記格納式サブディスプレーを傾けることができ、かつ前記格納式サブディスプレーの水平中心線を軸として３６０度回転できる、請求項１に記載のコンピュータースクリーン。
【請求項９】
前記格納式アームが電源供給ラインと複数のデータ線を含む複数の電気的接続部を含み、前記電気的接続部が前記格納式サブスクリーンの格納、傾き、回転動作を妨害しないように設けられている、請求項８に記載のコンピュータースクリーン。
【請求項１０】
前記格納式サブディスプレーがさらに運転スイッチを含む、請求項９に記載のコンピュータースクリーン。
【請求項１１】
前記格納式サブディスプレーの格納動作によって、または前記パーソナルコンピューターによって提供されるプログラムスイッチによって制御される運転スイッチをさらに含む、請求項８に記載のコンピュータースクリーン。
【請求項１２】
前記ディスプレーのスイープの方向が前記格納式サブディスプレーの回転角度によって制御される、請求項８に記載のコンピュータースクリーン。
【請求項１３】
前記格納式サブディスプレー上に表示される前記映像コンテンツが水平方向及び垂直方向に反転されて前記メインスクリーンの背後の視聴者に対して直立した前記映像コンテンツを表示する、請求項１２に記載のコンピュータースクリーン。
【請求項１４】
前記メインディスプレーおよび前記格納式サブディスプレー上に表示される前記映像コンテンツが前記パーソナルコンピューターから供給される、請求項１に記載のコンピュータースクリーン。
【請求項１５】
前記格納式サブディスプレーが前記メインディスプレーとは異なる映像コンテンツを表示する、請求項１４に記載のコンピュータースクリーン。
【請求項１６】
前記格納式サブディスプレーが前記メインディスプレーと同じ映像コンテンツを表示する、請求項１４に記載のコンピュータースクリーン。
【請求項１７】
前記パーソナルコンピューターがデスクトップコンピューター及びラップトップコンピューターを含む、請求項１に記載のコンピュータースクリーン。
【発明の詳細な説明】
【技術分野】
【０００１】
本発明はパーソナルコンピューターためのコンピュータースクリーンに関する。
【０００２】
特に、本発明は、メインディスプレー以外の複数のサブディスプレーを配置するコンピュータースクリーンに関する。
【０００３】
同時に、本発明のコンピュータースクリーンによって、サブディスプレーは前後方向に傾くことができ、回転し、メインディスプレーの背後にいる視聴者のために反転することさえできる。
【背景技術】
【０００４】
コンピューターは各個人のライフスタイルはいうまでもなく、世界の様子を変化させている。集積回路の目覚ましいスピードの発展によって、並はずれた演算能力を持ち、大量のメモリーが詰め込まれたコンピューターが、家庭や職場のデスクトップに当たり前のように置かれている。
【０００５】
パーソナルコンピューターコミュニティーの傾向の一つは、増大した演算能力にあわせてディスプレーをますます大きくすることである。ＣＰＵは大量の情報を素早く処理することができ、メモリーとハードディスクはそのような大量の情報を簡単に記憶し検索することができるため、コンピューターは何らかの手段でさらに多くの情報をユーザーに表示できるようにならなければならない。
【０００６】
ディスプレーエリアを増やす方法は、ページング、仮想スクリーン、単に大きなディスプレーを使用するなど、多くの方法がある。
【０００７】
ラップトップコンピューターやノートブックコンピューターにとって、ポータビリティーは鍵となるファクターであるが、これらのコンピューターにおいて、より大きなディスプレーエリアを獲得する方法は限られている。
【０００８】
本発明はこの問題に対する簡単で便利な解決手段を提供する。
【０００９】
従って、コンピューター環境の劇的な変化を考えれば、より大きなディスプレーエリアを有するコンピュータースクリーンの必要性が長い間にわたって存在してきた。本発明はこれらの問題を解決することに向けられ、長い間感じられてきた必要性を満足させる。
【発明の開示】
【００１０】
本発明の概要
本発明は先行技術が有する不都合な点を解決するために行われた。
【００１１】
本発明の目的はパーソナルコンピューター用コンピュータースクリーンを提供することである。
【００１２】
本発明のもう一つの目的は簡単に展開する追加スクリーンを提供することである。
【００１３】
本発明のさらにもう一つの目的は表示されるべき映像コンテンツをメインディスプレーの背後の視聴者に対して表示することができるコンピュータースクリーンを提供することである。
【００１４】
本発明に従ったパーソナルコンピューター用コンピュータースクリーンは、メインスクリーンと、１または複数の格納式サブディスプレーと、１または複数の格納式アームを含む。
【００１５】
メインスクリーンは、メインディスプレーと、メインディスプレーの裏側に配置されたドッキングスペースを持つ。
【００１６】
格納式サブディスプレーは、メインスクリーンのドッキングスペースに押し込み、あるいはそこから引き出すことができるように設けられている。
【００１７】
メインディスプレーのドッキングスペースに配置された格納式アームは、格納式サブディスプレーを支持し、格納式サブディスプレーをドッキングスペースに引き込み、格納式サブディスプレーをドッキングスペースから押し出すことができる。
【００１８】
メインディスプレーは、格納式サブディスプレーと協調してパーソナルコンピューターからの視覚情報を表示する。
【００１９】
メインディスプレーはＬＣＤディスプレーを含む。格納式サブディスプレーはＬＣＤディスプレーを含む。
【００２０】
格納式サブディスプレーは第１格納式サブディスプレーと第２格納式サブディスプレーを含む。格納式サブディスプレーはさらに第３格納式サブディスプレーを含んでもよい。
【００２１】
第１格納式サブディスプレーはメインディスプレーの左側に配置され、第２格納式サブディスプレーはメインディスプレーの右側に配置される。第３格納式サブディスプレーはメインディスプレーの上方に配置される。
【００２２】
格納式アームは、第１接続部と、伸縮部、第２接続部、関節ジョイントを含む。
【００２３】
第１接続部は、格納式アームをメインスクリーンのドッキングスペースの内側に接続するためのものである。
【００２４】
伸縮部は格納式ディスプレーを運動させて、メインスクリーンのドッキングスペースに出入りさせる。
【００２５】
第２接続部は、格納式サブディスプレーを格納式アームに接続する。
【００２６】
伸縮部と第２接続部との間に配置される関節ジョイントは、格納式サブディスプレーを前後方向に傾けるとともに、格納式サブディスプレーの水平中心線を軸として３６０度回転させることができる。
【００２７】
格納式アームは、電源供給ラインと複数のデータ線を含む、複数の電気的接続部を含み、電気的接続部は格納式サブスクリーンの格納、傾き、回転動作を妨害しないように設けられる。
【００２８】
格納式サブディスプレーは更に運転スイッチを含む。運転スイッチは、格納式サブディスプレーの格納運動、またはパーソナルコンピューターが提供するプログラムスイッチによって制御される。
【００２９】
ディスプレーの向き（スイープの向き）は、格納式サブディスプレーの回転運動によって制御される。
【００３０】
格納式サブディスプレー上に表示される前記映像コンテンツが水平方向、さらに垂直方向に反転され、メインスクリーンの背後の視聴者に対して直立した映像コンテンツを表示する。
【００３１】
メインディスプレーと格納式サブディスプレーに表示される映像コンテンツは、パーソナルコンピューターから供給される。
【００３２】
格納式サブディスプレーは、メインディスプレーとは異なる映像コンテンツを表示する。
【００３３】
格納式サブディスプレーは、メインディスプレーと同じ映像コンテンツを表示する。
【００３４】
本発明の他の実施態様では、パーソナルコンピューター用コンピュータースクリーンは、ａ）メインディスプレーを有するメインスクリーンと、ｂ）メインスクリーンの裏側に格納でき、メインスクリーンの周囲に配置できるよう設けられた１または複数の格納式サブディスプレーとを含む。
【００３５】
メインディスプレーは、格納式サブディスプレーと協調して、パーソナルコンピューターからの映像情報を表示する。サブディスプレーは前後方向に傾くように、かつ、メインディスプレーの水平軸を軸として回転するように設けられる。映像コンテンツの水平及び垂直スイープ方向は、回転角度によって制御される。
【００３６】
メインスクリーンはメインディスプレーの裏側にドッキングスペースを含んでもよく、サブディスプレーもスライディングアームによってメインスクリーンに接続されている。スライディングアームは関節ジョイントを含み、サブディスプレーを傾けさせ回転させることができる。
【００３７】
あるいは別の方法として、サブディスプレーは関節ヒンジによってメインスクリーンに接続される。関節ヒンジは、サブディスプレーが傾き、回転できるように設けられる。サブディスプレーは、格納されるときはメインスクリーンの裏側に折りたたまれる。
【００３８】
本発明の利点は：（１）コンピュータースクリーンが表示エリアを簡単に拡大することができる；（２）コンピュータースクリーンが３の異なった方向に追加表示領域を配置することができる；（３）サブディスプレーを他の視聴者の視線にあわせて傾かせ、回転させることができることである。
【００３９】
本発明を簡単に要約したが、以下に示す図、発明の詳細な説明、特許請求の範囲を読むことによって、本発明を十分に理解することができる。
本発明のこれら、及び、その他の特徴、外観、利点は、付属の図を参照することによってよりよく理解できる。
【発明を実施するための最良の形態】
【００４０】
図１ないし５は、本発明に従ったコンピュータースクリーン１００を示している。
【００４１】
本発明に従ったパーソナルコンピューター９０用コンピュータースクリーン１００は、メインスクリーン１０と、１または複数の格納式サブディスプレー２０と、１または複数の格納式アーム３０を含む。
【００４２】
メインスクリーン１０は、メインディスプレー１２と、メインディスプレー１２の裏側に配置されたドッキングスペース１４を持つ。
【００４３】
格納式サブディスプレー２０は、メインスクリーン１０のドッキングスペース１４に押し込み、あるいはそこから引き出すことができるように設けられている。
【００４４】
メインディスプレー１２のドッキングスペース１４に配置された格納式アーム３０は、格納式サブディスプレー２０を支持し、格納式サブディスプレー２０をドッキングスペース１４に引き込み、格納式サブディスプレー２０をドッキングスペース１４から押し出すためのものである。
【００４５】
メインディスプレー１２は、格納式サブディスプレー２０と協働してパーソナルコンピューター９０からの視覚情報を表示する。
【００４６】
メインディスプレー１２はＬＣＤディスプレーを含む。格納式サブディスプレー２０はＬＣＤディスプレーを含む。
【００４７】
格納式サブディスプレー２０は第１格納式サブディスプレー２２と第２格納式サブディスプレー２４を含む。格納式サブディスプレーはさらに第３格納式サブディスプレー２６を含んでもよい。
【００４８】
第１格納式サブディスプレー２２はメインディスプレー１２の左側に配置され、第２格納式サブディスプレー２４はメインディスプレー１２の右側に配置される。図３及び図４に示すように、第３格納式サブディスプレー２６はメインディスプレー１２の上方に配置される。
【００４９】
格納式アーム３０は、第１接続部３２と、伸縮部３４、第２接続部３６、関節ジョイント３８を含む。
【００５０】
図２に示すとおり、第１接続部３２は、格納式アーム３０をメインスクリーン１０のドッキングスペース１４の内側に接続するためのものである。
【００５１】
伸縮部３４は、格納式ディスプレー２０を往復運動させ、メインスクリーン１０のドッキングスペース１４に出入りさせる。
【００５２】
第２接続部３６は、格納式サブディスプレー２０を格納式アーム３０に接続するためのものである。
【００５３】
図５に示すとおり、伸縮部３４と第２接続部３６との間に配置される関節ジョイント３８は、格納式サブディスプレー２０を前後方向に傾けるとともに、格納式サブディスプレー２０の水平中心線を軸として３６０度回転させるためのものである。
【００５４】
格納式アーム３０は、電源供給ラインと複数のデータ線を含む、複数の電気的接続部（図示していない）を含み、電気的接続部は格納式サブディスプレー２０の格納、傾き、回転動作を妨害しないように設けられる。
【００５５】
格納式サブディスプレー２０は更に運転スイッチを含む（図示していない）。運転スイッチは、格納式サブディスプレー２０の格納運動、またはパーソナルコンピューター９０が提供するプログラムスイッチによって制御される。
【００５６】
ディスプレーの向き（スイープの向き）は、格納式サブディスプレー２０の回転運動によって制御される。
【００５７】
格納式サブディスプレー２０上に表示される前記映像コンテンツが水平方向及び垂直方向に反転され、メインスクリーン１０の背後の視聴者に対して直立した映像コンテンツを表示する。
【００５８】
メインディスプレー１２と格納式サブディスプレー２０に表示される映像コンテンツは、パーソナルコンピューター９０から供給される。
【００５９】
格納式サブディスプレー２０は、メインディスプレー１２とは異なる映像コンテンツを表示する。
【００６０】
格納式サブディスプレー２０は、メインディスプレー１２と同じ映像コンテンツを表示する。
【００６１】
図６に示す本発明の他の実施態様では、パーソナルコンピューター９０用コンピュータースクリーン１００は、ａ）メインディスプレー１２を有するメインスクリーン１０と、ｂ）メインスクリーン１０の裏側に格納でき、メインスクリーン１０の周囲に配置できるよう設けられた１または複数の格納式サブディスプレー２０とを含む。
【００６２】
メインディスプレー１２は、格納式サブディスプレー２０と協働して、パーソナルコンピューター９０からの映像情報を表示する。サブディスプレー２０は前後方向に傾くように、かつ、メインディスプレー１２の水平軸を軸として回転するように設けられる。サブディスプレー２０上の映像コンテンツの水平及び垂直スイープ方向は、回転角度によって制御される。
【００６３】
メインスクリーンはメインディスプレー１２の裏側にドッキングスペース１４を含んでもよく、サブディスプレー２０もスライディングアーム３１によってメインスクリーン１０に接続されている。スライディングアーム３１は関節ジョイント３８を含み、サブディスプレー２０を傾けさせ回転させることができる。スライディングアーム３１はメインスクリーン１０の背面に一体化することもできる。
【００６４】
図７に示すように別の方法として、サブディスプレー２０は関節ヒンジ３３によってメインスクリーン１０に接続される。関節ヒンジ３３はサブディスプレー２０が傾き、回転できるように設けられる。サブディスプレー２０は、格納されるときはメインスクリーン１０の裏側に折りたたまれる。あるいは、サブディスプレー２０は、回転した後にメインスクリーン１０の方向に折りたたまれて、サブディスプレー２０を保護することもできる。
【００６５】
本発明を実施態様ごとに図示して説明したが、当業者であれば付属の請求項によって与えられた本発明の精神と範囲から離れることなく、形態、細部、構成、運転方法などのバリエーションを考案することができると考えるべきである。
【図面の簡単な説明】
【００６６】
【図１】第１サブディスプレーを配置したコンピュータースクリーンの斜視図である。
【図２】図１の背面の平面図である。
【図３】第１と第２サブディスプレーを配置したコンピュータースクリーンの斜視図である。
【図４】第１と第２と第３サブディスプレーを配置したコンピュータースクリーンの斜視図である。
【図５】サブディスプレーの引き出し、傾け、回転動作の方向を示す斜視図である。
【図６】スライディングアームを有するコンピュータースクリーンの他の実施態様の斜視図である。
【図７】スライディングヒンジを有するコンピュータースクリーンの他の実施態様の斜視図である。
【図１】
2009534708.tif 000003
【図２】
2009534708.tif 000004
【図３】
2009534708.tif 000005
【図４】
2009534708.tif 000006
【図５】
2009534708.tif 000007
【図６】
2009534708.tif 000008
【図７】
2009534708.tif 000009
【国際調査報告】
2009534708.tif 000010
2009534708.tif 000011